(57)【要約】【課題】歯科治療分野で歯面や歯周ボケット等に発生する歯石やプラーク等を除去するために使用されるスケーラーの刃を砥石によって手動で研磨するに際して使用される補助具であって、特にスケーラーの刃と砥石の面との好適な研磨角度を熟練した者でなくても容易に認識することができる安価で簡便なスケーラー研磨補助具を提供する。【解決手段】スケーラー研磨補助具を、水平位置を示す水平表示線１と、この水平表示線１の略中央から引き出されており研磨されるスケーラーの刃の第一シャンクの位置を示すシャンク位置表示線２と、前記水平表示線１上のシャンク位置表示線２の引出点を始点として引き出される２本の線に挟まれた部位より成り前記スケーラーの第一シャンクの位置とこのスケーラーの刃を研磨する砥石の面との好適な研磨角度の範囲を示す砥石面位置表示部位３とを表示した薄板状部材４で構成する。【選択図】        図１
2004275413.tif 000002
【特許請求の範囲】
【請求項１】
水平位置を示す水平表示線（１）と、該水平表示線（１）の略中央から引き出されており研磨されるスケーラー（Ｓ）の刃（ｂ）の第一シャンク（ｆ）の位置を示すシャンク位置表示線（２）と、前記水平表示線（１）上の該シャンク位置表示線（２）の引出点を始点として引き出される２本の線に挟まれた部位より成り該スケーラー（Ｓ）の第一シャンク（ｆ）の位置と該スケーラー（Ｓ）の刃（ｂ）を研磨する砥石（Ｔ）の面との好適な研磨角度の範囲を示す砥石面位置表示部位（３）とが、薄板状部材（４）に表示されていることを特徴とするスケーラー研磨補助具。
【請求項２】
シャンク位置表示線（２）と砥石面位置表示部位（３）とをそれぞれ識別するための識別表示部（５）が更に表示されている請求項１に記載のスケーラー研磨補助具。
【請求項３】
水平表示線（１）上のシャンク位置表示線（２）の引出点を中心とし該水平表示線（１）の両端間を結ぶ円弧状の曲線（１ａ）が更に表示されていると共に、該砥石面位置表示部位（３）の２本の線がそれぞれ該円弧状の曲線（１ａ）に到達している請求項１又は２に記載のスケーラー研磨補助具。
【請求項４】
研磨されるスケーラ（Ｓ）が片刃スケーラーである場合において、砥石面位置表示部位（３）がシャンク位置表示線（２）の右側に表示されているものと、砥石面位置表示部位（３）がシャンク位置表示線（２）の左側に表示されているものとの２種類で構成されている請求項１から３までの何れか１項に記載のスケーラー研磨補助具。
【請求項５】
研磨されるスケーラ（Ｓ）が片刃スケーラーである場合において、該片刃スケーラーの刃先の位置及び刃面と該片刃スケーラーの刃を研磨する砥石（Ｔ）の面との位置の関係を示す片刃スケーラー先端向き表示部（６）が更に表示されている請求項１から４までの何れか１項に記載のスケーラー研磨補助具。
【請求項６】
研磨されるスケーラ（Ｓ）が両刃スケーラーである場合において、砥石面位置表示部位（３）がシャンク位置表示線（２）の左右に表示されている請求項１から３までの何れか１項に記載のスケーラー研磨補助具。
【請求項７】
請求項４又は５に記載のスケーラー研磨補助具と、請求項６に記載のスケーラー研磨補助具とのセットから成ることを特徴とするスケーラー研磨補助具。
【請求項８】
スケーラー研磨補助具を収納する保持部（７ａ）と該保持部（７ａ）の一辺に回転自在に設けられた蓋体（７ｂ）とから成り該蓋体（７ｂ）を最も開いた状態で該蓋体（７ｂ）と該保持部（７ａ）とが鋭角を成す状態が維持される収納表示手段（７）を更に備えている請求項１から７までの何れか１項に記載のスケーラー研磨補助具。
【発明の詳細な説明】
【０００１】
【産業上の利用分野】
本発明は、歯科治療分野で歯面や歯周ボケット等に発生する歯石やプラーク等を除去するために使用されるスケーラーの刃を砥石によって手動で研磨するに際して使用される補助具であって、特にスケーラーの刃と砥石の面との好適な研磨角度を熟練した者でなくても容易に認識することができる安価で簡便なスケーラー研磨補助具に関するものである。
【０００２】
【従来の技術】
歯面や歯周ボケット等に発生する歯石やプラーク等を除去するために使用されるスケーラーは、一般的には術者が握るグリップ部とこのグリップ部の両端より突設されたシャンク部とこのシャンク部のグリップ部と反対側に形成された第一シャンク部の先端に形成された刃とから成る。このスケーラーとしては、大きく分けて第一シャンク部の先端に形成された刃先から見て一方の側にのみ刃が形成されている片刃スケーラーと、第一シャンク部の先端に形成された刃先から見て両側に刃が形成されている両刃スケーラーとが存在し、またこのような２種類のスケーラーにおいてシャンク部の角度や形状の違いによって更に様々な種類のスケーラーが存在する。
【０００３】
このスケーラーは、繰り返し使用されることによってその刃の切れ味が低下するので、その切れ味を保つために定期的に研磨しなくてはらないが、前記したようにスケーラーは複雑な形状をしており、またその形状も多く存在するので、砥石を使用して手動でスケーラーの刃を一定の精度に研磨するのは熟練した者であっても非常に困難な作業であり、また熟練した者であってもその研磨角度を見誤ってしまうとスケーラの刃を欠損させてしまったり一部のみ尖ってしまったりしてスケーラーを使用不能な状態にしてしまうことがあった。
【０００４】
そこで、このスケーラーを研磨する作業を行うために、往復動可能に設けられた砥石を含む研磨装置本体に、スケーラーの先端を位置決めする円弧状の凹部を備えた位置決めプレートが備えられたアタッチメントが着脱自在に備えられている装置（例えば、特許文献１参照。）や、水平部と傾斜部とを有する静止部材と、この静止部材に前記傾斜部の上向き部に沿って上下動可能に設ける可動部材と、この可動部材の上向き部に装着する砥石と、前記可動部材の上下動を案内させるガイド部と、前記可動部材を手動により下方に移動させるための操作部と、下方に移動した前記可動部材を自動的に上方に復帰させる弾性部材とを有する装置（例えば、特許文献２参照。）等が提案されている。
【０００５】
しかしながら、これらのスケーラーを研磨する装置は大がかりでありコストが高くついてしまうという欠点があり、また様々な形状のスケーラーに対応させるにはその都度角度等の設定やアタッチメント等を取り替えなければならないので煩わしいという欠点もあり、更にこれらの装置はその構造が複雑であるのでこれらの装置自体を使いこなすのに訓練が必要であるという欠点があった。
【０００６】
【特許文献１】
特開２００１−３８５８４号公報
【特許文献２】
特開２０００−２４８８８号公報
【０００７】
【発明が解決しようとする課題】
本発明は、前記従来技術の欠点を解消し、歯科治療分野で歯面や歯周ボケット等に発生する歯石やプラーク等を除去するために使用されるスケーラーの刃を砥石によって手動で研磨するに際して使用される補助具であって、特にスケーラーの刃と砥石の面との好適な研磨角度を熟練した者でなくても容易に認識することができる安価で簡便なスケーラー研磨補助具を提供することを課題とする。
【０００８】
【課題を解決するための手段】
本発明者らは前記課題を解決すべく鋭意研究の結果、薄板状部材に、水平位置を示す水平表示線と、この水平表示線の略中央から引き出されており研磨されるスケーラーの刃の第一シャンクの位置を示すシャンク位置表示線と、前記水平表示線上のシャンク位置表示線の引出点を始点として引き出される２本の線に挟まれた部位より成り前記スケーラーの第一シャンクの位置とこのスケーラーの刃を研磨する砥石の面との好適な研磨角度の範囲を示す砥石面位置表示部位とを表示すれば、スケーラーの刃を砥石によって手動で研磨するに際して、研磨作業者はスケーラーの第一シャンクの位置と砥石の面の位置とを薄板状部材に表示されたシャンク位置表示線と砥石面位置表示部位とに合わせるだけの簡単な作業のみで、スケーラーの刃と砥石の面との好適な研磨角度を熟練した者でなくても容易に認識することができると共に、水平位置を示す水平表示線が表示されていることにより机上等で研磨作業する際にその水平表示線を目安に作業が行えるので作業性を向上させることができ、また薄板状部材にそれぞれの線や部位等が表示されているという簡単な構成であるので、非常に安価に作製することができ、更にそれぞれの線や部位等の角度や位置を変化させて表示させれば、様々な形状や種類のスケーラーに簡単且つ安価に対応することができることを究明して本発明を完成したのである。
【０００９】
即ち本発明は、水平位置を示す水平表示線と、水平表示線の略中央から引き出されており研磨されるスケーラーの刃の第一シャンクの位置を示すシャンク位置表示線と、水平表示線上のシャンク位置表示線の引出点を始点として引き出される２本の線に挟まれた部位より成りスケーラーの第一シャンクの位置とスケーラーの刃を研磨する砥石の面との好適な研磨角度の範囲を示す砥石面位置表示部位とが、薄板状部材に表示されていることを特徴とするスケーラー研磨補助具である。
【００１０】
そして、シャンク位置表示線と砥石面位置表示部位とをそれぞれ識別するための識別表示部が更に表示されていれば、初心者であってもシャンク位置表示線と砥石面位置表示部位とを誤って認識することがないので好ましく、また水平表示線上のシャンク位置表示線の引出点を中心とし水平表示線の両端間を結ぶ円弧状の曲線が更に表示されていると共に、砥石面位置表示部位の２本の線がそれぞれ円弧状の曲線に到達していれば、薄板状部材に表示されたそれぞれの線や部位等を認識し易くなるので、作業性が向上して好ましいことも究明したのである。
【００１１】
また、研磨されるスケーラが片刃スケーラーである場合において、砥石面位置表示部位がシャンク位置表示線の右側に表示されているものと、砥石面位置表示部位がシャンク位置表示線の左側に表示されているものとの２種類で構成されていれば、片刃スケーラーの第一シャンク部の先端に形成された刃先から見て何れの側に刃が形成されていても、砥石を持つ手と研磨される片刃スケーラーを持つ手とを逆に入れ替えると無く研磨作業が行うことができると共に、研磨する際に砥石を右手で持つ方が研磨し易い研磨作業者であっても左手で持つ方が研磨し易い研磨作業者であっても対応することができて好ましく、また研磨されるスケーラが片刃スケーラーである場合において、片刃スケーラーの刃先の位置及び刃面と片刃スケーラーの刃を研磨する砥石の面との位置の関係を示す片刃スケーラー先端向き表示部が更に表示されていれば、片刃スケーラーの研磨すべき刃の面を間違えることがないので好ましいことも究明したのである。
【００１２】
更に、研磨されるスケーラが両刃スケーラーである場合において、砥石面位置表示部位がシャンク位置表示線の左右に表示されていれば、両刃スケーラのそれぞれの刃の好適な研磨角度を一見してだけで認識することができると共に両刃スケーラーを研磨する際に両刃スケーラー自体の位置を移動させることなく両刃スケーラーのそれぞれの刃を研磨することができるので、両刃スケーラを研磨する場合において作業性が向上して好ましいことも究明したのである。
【００１３】
また更に、上記した片刃スケーラーに好適なスケーラー研磨補助具と両刃スケーラーに好適なスケーラー研磨補助具とをセットとすれば、研磨するスケーラーが片刃スケーラーであっても両刃スケーラーであっても容易に対応することができて好ましく、またこれらのスケーラー研磨補助具を収納する保持部と保持部の一辺に回転自在に設けられた蓋体とから成り蓋体を最も開いた状態で蓋体と保持部とが鋭角を成す状態が維持される収納表示手段を更に備えていれば、机上等で研磨作業を行う際にスケーラー研磨補助具が目視し易い角度で維持されるので作業効率が向上すると共に、これらのスケーラー研磨補助具が複数存在した場合にはまとめて保管できるのでなくすことがなく好ましいこともことも究明したのである。
【００１４】
【発明の実施の態様】
以下、図面により本発明に係るスケーラー研磨補助具について詳細に説明する。
図１は本発明に係る片刃スケーラー用のスケーラー研磨補助具の１実施例の正面説明図、図２は本発明に係る両刃スケーラー用のスケーラー研磨補助具の１実施例の正面説明図、図３は収納表示手段を更に備えているスケーラー研磨補助具の斜視説明図、図４は本発明に係るスケーラー研磨補助具を用いてスケーラーを研磨する状態を示す説明図、図５はスケーラーの１例を示す正面説明図である。
【００１５】
図面中、１は水平位置を示す水平表示線であり、その略中央から後述するシャンク位置表示線２や砥石面位置表示部位３が引き出されると共に机上等で研磨作業をする際に目安となるので作業性が向上させる役目を果たす。
【００１６】
そして、図１〜３に示す如くこの水平表示線１上のシャンク位置表示線２の引出点を中心とし水平表示線１の両端間を結ぶ円弧状の曲線１ａが更に表示されていると共に、砥石面位置表示部位３の２本の線がそれぞれ該円弧状の曲線１ａに到達していれば、後述する薄板状部材４に表示されたそれぞれの線や部位等を認識し易くなるので、作業性が向上して好ましい。
【００１７】
２は水平表示線１の略中央から引き出されており研磨されるスケーラーＳの刃ｂの第一シャンクｆの位置を示すシャンク位置表示線であり、スケーラーＳの刃ｂを研磨する際に後述する砥石面位置表示部位３と共にスケーラーＳの好適な研磨角度を示す役割を果たす。このシャンク位置表示線２が研磨されるスケーラーＳの刃ｂの位置やスケーラーＳのグリップ部ｇではなく研磨されるスケーラーＳの刃ｂの第一シャンクｆの位置を示すのは、スケーラーＳの刃ｂの位置では目視して位置を合わせるのが困難であり、またスケーラーＳのグリップ部ｇでは研磨されるスケーラーＳの刃ｂと砥石Ｔの面とが接する部位と、スケーラーＳのグリップ部ｇとが離れているために研磨が難しいからであり、そして研磨されるスケーラーＳの刃ｂの第一シャンクｆの位置であれば、研磨作業者は視線の移動を最小限にすることができるのでスケーラーＳの好適な位置を容易に認識できるので好ましいからである。
【００１８】
このシャンク位置表示線２としては、後述する砥石面位置表示部位３の２本の線と同じ長さであってもよいが、図１〜図４に示す如くスケーラーＳの第一シャンクｆよりも多少長い長さであれば、第一シャンクｆをシャンク位置表示線２に沿って移動させた場合に常にシャンク位置表示線２が見える状態にあるので第一シャンクｆと砥石Ｔとの角度が適正な範囲外になることを防止することができるので好ましい。そして、このシャンク位置表示線２は、水平表示線１の略中央から鋭角に引き出されていても、水平表示線１の略中央から直角に引き出されていてもよいが、研磨されるスケーラーＳが両刃スケーラーである場合において、後述する砥石面位置表示部位３がシャンク位置表示線２の左右に表示されている場合には、図２に示す如く水平表示線１の略中央から直角に引き出されていれば、シャンク位置表示線２と後述する砥石面位置表示部位３との位置関係を把握し易いので好ましい。
【００１９】
３は水平表示線１上のシャンク位置表示線２の引出点を始点として引き出される２本の線に挟まれた部位より成りスケーラーＳの第一シャンクｆの位置とスケーラーＳの刃ｂを研磨する砥石Ｔの面との好適な研磨角度の範囲を示す砥石面位置表示部位であり、シャンク位置表示線２に第一シャンクｆを合わせたスケーラーＳの刃ｂに対して、砥石Ｔの面を当接させる好適な角度を表示する役目を果たす。この砥石面位置表示部位３としては、単に水平表示線１上のシャンク位置表示線２の引出点を始点として引き出される２本の線のみから成るものであってもよいが、この２本の線に挟まれた部位がこの２本の線と同じ色に塗りつぶされているものであれば、砥石面位置表示部位３を認識し易いので好ましい。
【００２０】
ここで、砥石面位置表示部位３が水平表示線１上のシャンク位置表示線２の引出点を始点として引き出される２本の線に挟まれた部位より成るのは、この砥石面位置表示部位３が１本の線のみから成るものであった場合には砥石Ｔの厚さによって研磨作業者より完全に見えなくなってしまい、そしてその砥石Ｔの厚さのために好適な研磨角度を維持することが困難になってしまうからである。この砥石面位置表示部位３の２本の線で形成される角度は、研磨後のスケーラーＳの刃ｂの精度が許容範囲内に収まるように、概ね５度〜１０度の範囲内であることが好ましい。また、水平表示線１上のシャンク位置表示線２の引出点を始点とする砥石面位置表示部位３の中心軸とシャンク位置表示線２とで形成される角度は、研磨されるスケーラーＳの刃のエッジ部の角度等によって変化するが、研磨されるスケーラーＳが片刃スケーラーである場合には概ね２０度〜４０度の範囲にあり、両刃スケーラーである場合には概ね１０〜２０度の範囲にあることが好ましい。
【００２１】
そして、研磨されるスケーラＳが片刃スケーラーである場合において、砥石面位置表示部位３がシャンク位置表示線２の右側に表示されているものと、砥石面位置表示部位３がシャンク位置表示線２の左側に表示されているものとの２種類で構成されていれば、片刃スケーラーの第一シャンク部の先端に形成された刃先から見て何れの側に刃が形成されていても、砥石ＴやスケーラーＳを左右の手に持ち替えることがないので、研磨する際に砥石Ｔを右手で持つ方が研磨し易い研磨作業者であっても左手で持つ方が研磨し易い研磨作業者であっても対応することができて好ましい。もちろん、砥石Ｔを持つ手と研磨される片刃スケーラーを持つ手とを交差させて研磨作業を行うこともできる。また、研磨されるスケーラＳが両刃スケーラーである場合において、図２に示す如く砥石面位置表示部位３がシャンク位置表示線２の左右に表示されていれば、両刃スケーラのそれぞれの刃の好適な研磨角度を一見してだけで認識することができると共に砥石Ｔを右手で持つ方が研磨し易い研磨作業者であっても左手で持つ方が研磨し易い研磨作業者であっても対応することができるので、両刃スケーラを研磨する場合において作業性が向上して好ましい。
【００２２】
４は水平表示線１やシャンク位置表示線２や砥石面位置表示部位３等が表示される薄板状部材であり、薄板状の部材に直接水平表示線１やシャンク位置表示線２や砥石面位置表示部位３等を直接表示されたものであっても、また薄板状の部材に水平表示線１やシャンク位置表示線２や砥石面位置表示部位３等が表示された紙製のシール等を貼ったものであってもよい。この薄板状部材４としては、紙や板状のプラスチックや薄い金属板等が好ましく使用される。また、図示しないが机上等で自立できるように、例えば下部をＬ字状等に折り曲げられていてもよい。
【００２３】
５はシャンク位置表示線２と砥石面位置表示部位３とをそれぞれ識別するための識別表示部であり、研磨作業者がシャンク位置表示線２と砥石面位置表示部位３とを誤って認識しないようにする役目を果たす。この識別表示部５としては、図１及び図２に示す如く文字でシャンク位置表示線２と砥石面位置表示部位３とをそれぞれ識別させるものであってもよく、また図示しないが色彩の違いによりシャンク位置表示線２と砥石面位置表示部位３とをそれぞれ識別させるものであってもよい。
【００２４】
６は研磨されるスケーラＳが片刃スケーラーである場合において、片刃スケーラーの刃先の位置及び刃面と片刃スケーラーの刃ｂを研磨する砥石Ｔの面との位置の関係を示す片刃スケーラー先端向き表示部であり、研磨作業者が片刃スケーラーの研磨すべき刃の面を間違えないようにさせる役目を果たす。
【００２５】
この片刃スケーラー先端向き表示部６としては、図１に示す如く砥石面位置表示部位３がシャンク位置表示線２の右側に表示されている場合に、片刃スケーラーの刃先の位置及び刃面が左側に、そして片刃スケーラーの刃ｂを研磨する砥石Ｔの面が右側にそれぞれ表示されていれば、それぞれの位置関係が一見して認識できるので好ましく、また図１に示す如くスケーラーＳの刃ｂの先端が下向きの片刃スケーラー先端向き表示部６とスケーラーＳの刃ｂの先端が上向きの片刃スケーラー先端向き表示部６が一対表示されていれば、スケーラーＳの刃の先端から見てどちらの側に刃ｂが存在するのかを認識し易いので好ましい。
【００２６】
これは、スケーラーＳが片刃スケーラーである場合には、一般的には図５に示す如く術者が握るグリップ部ｇの両端にそれぞれ、シャンク部とこのシャンク部のグリップ部の反対側に形成された第一シャンク部ｆとこの第一シャンク部の先端に形成された刃ｂが突設されており、このグリップ部ｇの両端にはスケーラーＳの刃の先端から見て右側に刃面があるものと左側に刃面があるものとが一対存在するが、形状が複雑であり刃面も小さいために一見してその刃面がどちらに存在するのかが直ぐに認識できないのである。
【００２７】
また、一般に広く市上されている片刃スケーラには、そのグリップ部ｇにそれぞれのどちらの側に刃面があるのかを示す番号や記号等が表示されているので、これらの番号や記号等がスケーラーＳに表示されている場合にはその番号や記号等が更に片刃スケーラー先端向き表示部６に表示されていれば、直ぐに片刃スケーラーの研磨すべき刃面を認識できるのでより好ましい。
【００２８】
７はスケーラー研磨補助具を収納する保持部７ａと保持部７ａの一辺に回転自在に設けられた蓋体７ｂとから成り蓋体７ｂを最も開いた状態で蓋体７ｂと保持部７ａとが鋭角を成す状態が維持される収納表示手段であり、机上等で研磨作業を行う際にスケーラー研磨補助具が目視し易い角度で維持されるので作業効率を向上させると共に、これらのスケーラー研磨補助具が複数存在する場合にはまとめて保管できるのでなくさないようにする役目を果たす。この収納表示手段７としては、図３及び図４に示す如く一般に広く市上されている光磁気ディスクや磁気ディスク等のケースが好ましく使用される。
【００２９】
このような構成の本発明に係るスケーラー研磨補助具を使用してスケーラーＳの刃ｂを研磨するには、先ず図４に示す如く一方の手でスケーラーＳのグリップ部ｇを握り研磨する刃ｂの第一シャンクｆの位置とシャンク位置表示線２の位置とが一致し、且つスケーラーＳの刃ｂの先端が水平表示線１の略中央にあるシャンク位置表示線２の引出点に位置するようスケーラーＳを移動させる。この際、研磨されるスケーラーが片刃スケーラーである場合において、片刃スケーラー先端向き表示部６が表示されている場合には、その片刃スケーラー先端向き表示部６を参照して片刃スケーラーの研磨すべき刃の面を確認する。
【００３０】
次に、図４に示す如くスケーラーＳの刃ｂを研磨する砥石Ｔの面を露出させるように他方の手で砥石Ｔを持ち、砥石Ｔの面の位置が砥石面位置表示部位３の水平表示線１上のシャンク位置表示線２の引出点を始点として引き出される２本の線の範囲内に位置するように砥石Ｔを移動させ、スケーラーＳの刃ｂと砥石Ｔの面とを当接させる。
【００３１】
次いで、スケーラーＳの第一シャンクｆと砥石Ｔの面との角度を維持しながらスケーラーＳの刃ｂを砥石Ｔの面で研磨する操作を行う。この際、スケーラーＳを固定した状態で砥石Ｔを往復運動させるように研磨するか、又は砥石Ｔを固定した状態でスケーラーＳを往復運動させるように研磨する。そして、この往復運動を行っている間においても、スケーラーＳの第一シャンクｆと砥石Ｔの面との角度が好適な研磨角度となるように、シャンク位置表示線２と砥石面位置表示部位３とを確認しながら研磨を行う。
【００３２】
【発明の効果】
以上に詳述した如く、本発明に係るスケーラー研磨補助具は、薄板状部材に、水平位置を示す水平表示線と、この水平表示線の略中央から引き出されており研磨されるスケーラーの刃の第一シャンクの位置を示すシャンク位置表示線と、前記水平表示線上のシャンク位置表示線の引出点を始点として引き出される２本の線に挟まれた部位より成り前記スケーラーの第一シャンクの位置とこのスケーラーの刃を研磨する砥石の面との好適な研磨角度の範囲を示す砥石面位置表示部位とが表示されているので、スケーラーの刃を砥石によって手動で研磨するに際して、研磨作業者はスケーラーの第一シャンクの位置と砥石の面の位置とを薄板状部材に表示されたシャンク位置表示線と砥石面位置表示部位とに合わせるだけの簡単な作業のみで、スケーラーの刃と砥石の面との好適な研磨角度を熟練した者でなくても容易に認識することができると共に、水平位置を示す水平表示線が表示されていることにより、机上等で研磨作業する際にその水平表示線を目安に作業が行えるので作業性が向上されることができ、また薄板状部材にそれぞれの線や部位等が表示されているという簡単な構成であるので、非常に安価に作製することができ、更にそれぞれの線や部位等の角度や位置を変化させて表示させたものを準備すれば、様々な形状や種類のスケーラーに簡単且つ安価に対応することができるのである。
【００３３】
そして、シャンク位置表示線と砥石面位置表示部位とをそれぞれ識別するための識別表示部が更に表示されていれば、初心者であってもシャンク位置表示線と砥石面位置表示部位とを誤って認識することがないので好ましく、また水平表示線上のシャンク位置表示線の引出点を中心とし水平表示線の両端間を結ぶ円弧状の曲線が更に表示されていると共に、砥石面位置表示部位の２本の線がそれぞれ円弧状の曲線に到達していれば、薄板状部材に表示されたそれぞれの線や部位等を認識し易くなるので、作業性が向上して好ましいのである。
【００３４】
また、研磨されるスケーラが片刃スケーラーである場合において、砥石面位置表示部位がシャンク位置表示線の右側に表示されているものと、砥石面位置表示部位がシャンク位置表示線の左側に表示されているものとの２種類で構成されていれば、片刃スケーラーの第一シャンク部の先端に形成された刃先から見て何れの側に刃が形成されていても、砥石やスケーラーを左右の手に持ち替えることがないので、研磨する際に砥石を右手で持つ方が研磨し易い研磨作業者であっても左手で持つ方が研磨し易い研磨作業者であっても対応することができて好ましく、また研磨されるスケーラが片刃スケーラーである場合において、片刃スケーラーの刃先の位置及び刃面と片刃スケーラーの刃を研磨する砥石の面との位置の関係を示す片刃スケーラー先端向き表示部が更に表示されていれば、片刃スケーラーの研磨すべき刃の面を間違えることがないので好ましいのである。
【００３５】
更に、研磨されるスケーラが両刃スケーラーである場合において、砥石面位置表示部位がシャンク位置表示線の左右に表示されていれば、両刃スケーラのそれぞれの刃の好適な研磨角度を一見してだけで認識することができると共に砥石を右手で持つ方が研磨し易い研磨作業者であっても左手で持つ方が研磨し易い研磨作業者であっても対応することができるので、両刃スケーラを研磨する場合において作業性が向上して好ましいのである。
【００３６】
また更に、上記した片刃スケーラーに好適なスケーラー研磨補助具と両刃スケーラーに好適なスケーラー研磨補助具とをセットとすれば、研磨するスケーラーが片刃スケーラーであっても両刃スケーラーであっても容易に対応することができて好ましく、またこれらのスケーラー研磨補助具を収納する保持部と保持部の一辺に回転自在に設けられた蓋体とから成り蓋体を最も開いた状態で蓋体と保持部とが鋭角を成す状態が維持される収納表示手段を更に備えていれば、机上等で研磨作業を行う際にスケーラー研磨補助具が目視し易い角度で維持されるので作業効率が向上すると共に、これらのスケーラー研磨補助具が複数存在した場合にはまとめて保管できるのでなくすことがなく好ましいのである。
【００３７】
このような種々の効果を奏する本発明に係るスケーラー研磨補助具の歯科分野に貢献する価値は非常に大きなものである。
【図面の簡単な説明】
【図１】本発明に係る片刃スケーラー用のスケーラー研磨補助具の１実施例の正面説明図である。
【図２】本発明に係る両刃スケーラー用のスケーラー研磨補助具の１実施例の正面説明図である。
【図３】収納表示手段を更に備えているスケーラー研磨補助具の斜視説明図である。
【図４】本発明に係るスケーラー研磨補助具を用いてスケーラーを研磨する状態を示す説明図である。
【図５】スケーラーの１例を示す正面説明図である。
【符号の説明】
１  水平表示線
１ａ  円弧状の曲線
２  シャンク位置表示線
３  砥石面位置表示部位
４  薄板状部材
５  識別表示部
６  片刃スケーラー先端向き表示部
７  収納表示手段
７ａ  保持部
７ｂ  蓋体
Ｓ  スケーラー
ｂ  刃
ｆ  第一シャンク
ｇ  グリップ部
Ｔ  砥石
【図１】
2004275413.tif 000003
【図２】
2004275413.tif 000004
【図３】
2004275413.tif 000005
【図４】
2004275413.tif 000006
【図５】
2004275413.tif 000007